(57)【要約】【課題】補液バッグを吊して保持させる作業性を向上させつつ補液の注入時において各補液バッグの視認性を向上させることができるとともに、小型化を図って設置スペースの自由度を向上させることができる補液バッグ用ハンガーを提供する。【解決手段】患者に対して補液の注入を可能としつつ血液浄化治療を施すための多用途透析装置２に設置され、補液を収容しつつ相互に連通された複数の補液バッグＢ１〜Ｂ３を吊して保持するための補液バッグ用ハンガー１において、多用途透析装置２の所定部位から略鉛直方向に立設された立設部１ａと、該立設部１ａの上端部から上方に傾斜しつつ略直線状に延設されるとともに、補液バッグＢ１〜Ｂ３を保持するためのフック４ａ〜４ｅが長手方向に亘って複数形成された延設部１ｂとを具備したものである。【選択図】図３
2008000318.tif 000002
【特許請求の範囲】
【請求項１】
患者に対して補液の注入を可能としつつ血液浄化治療を施すための血液浄化装置に設置され、補液を収容しつつ相互に連通された複数の補液バッグを吊して保持するための補液バッグ用ハンガーにおいて、
前記血液浄化装置の所定部位から略鉛直方向に立設された立設部と、
該立設部の上端部から下方又は上方に傾斜しつつ略直線状に延設されるとともに、前記補液バッグを保持するための吊下げ手段が長手方向に亘って複数形成された延設部と、
を具備したことを特徴とする補液バッグ用ハンガー。
【請求項２】
前記延設部は、前記立設部の立設方向を軸として回動自在とされたことを特徴とする請求項１記載の補液バッグ用ハンガー。
【請求項３】
前記延設部を複数の位置で固定させ得る固定手段を具備したことを特徴とする請求項２記載の補液バッグ用ハンガー。
【請求項４】
前記固定手段は、前記延設部が血液浄化装置に対して前方にある作業位置と後方にある退避位置との２位置で当該延設部を固定し得ることを特徴とする請求項３記載の補液バッグ用ハンガー。
【請求項５】
前記延設部の回動時にその回動方向とは逆向きに付勢力を付与し、当該延設部を初期位置に戻し得る付勢手段を具備したことを特徴とする請求項２記載の補液バッグ用ハンガー。
【発明の詳細な説明】
【技術分野】
【０００１】
本発明は、患者に対して補液の注入を可能としつつ血液浄化治療を施すための血液浄化装置に設置され、補液を収容しつつ相互に連通された複数の補液バッグを吊して保持するための補液バッグ用ハンガーに関するものである。
【背景技術】
【０００２】
血液浄化装置は、一般に、血液透析（ＨＤ）、血液透析濾過（ＨＤＦ）、血液濾過（ＨＦ）及び持続緩徐式血液濾過（ＣＨＦ）等を行い得る装置である。血液透析（ＨＤ）を行うための血液透析装置は、腎機能に障害を生じた患者を治療する装置であり、ダイアライザ等の半透膜を隔てて血液と透析液とを流通させることにより、拡散による溶質除去及び限外濾過による余剰水分除去（除水）を行うよう構成されている。
【０００３】
また、血液濾過（ＨＦ）を行うための血液濾過装置は、上記の如き血液透析によって対処が困難な透析アミロイド症又は透析困難症の患者などを治療する装置であり、ダイアライザ等の半透膜を介して血液側に限外濾過圧を加えることにより体液成分を濾過し、置換補充液（補液）を注入することで電解質や酸塩基平衡の是正を行うよう構成されている。血液透析濾過（ＨＤＦ）を行うための血液透析濾過装置は、血液透析によって対処できない透析アミロイド症又は透析困難症の患者などを治療する装置であり、血液透析と血液濾過とを同時に行い得て、それぞれの利点を併せ持つよう構成されている。
【０００４】
上記の如き血液浄化装置については、患者に対して補液を注入することが可能なものがあり、その補液は、従来、図１１に示すように、補液バッグ用ハンガー１０１に吊された複数の補液バッグＢ１〜Ｂ４にそれぞれ収容されていた。かかる従来の補液バッグ用ハンガー１０１は、図１２に示すように、透析装置等の血液浄化装置１０２から鉛直方向に立設した立設部１０３と、該立設部１０３の上端部に形成された上下２段の円環状フレーム１０４ａ、１０４ｂと、上段の円環状フレーム１０４ａに形成された複数のフック１０４ａａ及び単一の１０４ａｂと、下段の円環状フレーム１０４ｂに形成された複数のフック１０４ｂａとを有して構成されていた。
【０００５】
また、円環状フレーム１０４ａ、１０４ｂは、それぞれ支承部材１０５にて回転自在に支持されており、作業者が当該円環状フレーム１０４ａを回転させつつ、図１１の如き所望位置の各フック１０４ａａ、１０４ａｂに補液バッグＢ１〜Ｂ４をそれぞれ吊して保持させ得るよう構成されている。尚、隣り合う補液バッグＢ１〜Ｂ４は、連通管Ｒ１〜Ｒ３にて相互に連通されており、フック１０４ａｂに吊されて他より下方にあるＢ４からは、血液浄化装置１０２側に補液を供給するための供給管Ｒ４が接続されている。
【０００６】
これにより、補液時、補液バッグＢ４から血液浄化装置１０２側に補液が供給されるとともに、他の補液バッグＢ１〜Ｂ２内の補液が自重にて当該補液バッグＢ４に補充されるようになっている。然るに、補液バッグＢ１〜Ｂ２に収容された補液は、患者の透析治療時に使用される量と略同一となるよう設定されている。尚、かかる先行技術は、文献公知発明に係るものでないため、記載すべき先行技術文献情報はない。
【発明の開示】
【発明が解決しようとする課題】
【０００７】
しかしながら、上記従来の補液バッグ用ハンガーにおいては、円環状フレームに沿って補液バッグを吊すためのフックが複数形成されているため、当該円環状フレームを少しずつ回転させつつ補液バッグを順次吊す作業が必要であるとともに、補液の注入時において作業者が回り込まなければ全ての補液バッグを視認することができないという問題があった。また、円形状フレームの半径をある程度大きくせざるを得ないことから補液バッグ用ハンガーが大型化してしまい、設置スペースが限定されてしまうという問題があった。
【０００８】
本発明は、このような事情に鑑みてなされたもので、補液バッグを吊して保持させる作業性を向上させつつ補液の注入時において各補液バッグの視認性を向上させることができるとともに、小型化を図って設置スペースの自由度を向上させることができる補液バッグ用ハンガーを提供することにある。
【課題を解決するための手段】
【０００９】
請求項１記載の発明は、患者に対して補液の注入を可能としつつ血液浄化治療を施すための血液浄化装置に設置され、補液を収容しつつ相互に連通された複数の補液バッグを吊して保持するための補液バッグ用ハンガーにおいて、前記血液浄化装置の所定部位から略鉛直方向に立設された立設部と、該立設部の上端部から下方又は上方に傾斜しつつ略直線状に延設されるとともに、前記補液バッグを保持するための吊下げ手段が長手方向に亘って複数形成された延設部とを具備したことを特徴とする。
【００１０】
請求項２記載の発明は、請求項１記載の補液バッグ用ハンガーにおいて、前記延設部は、前記立設部の立設方向を軸として回動自在とされたことを特徴とする。
【００１１】
請求項３記載の発明は、請求項２記載の補液バッグ用ハンガーにおいて、前記延設部を複数の位置で固定させ得る固定手段を具備したことを特徴とする。
【００１２】
請求項４記載の発明は、請求項３記載の補液バッグ用ハンガーにおいて、前記固定手段は、前記延設部が血液浄化装置に対して前方にある作業位置と後方にある退避位置との２位置で当該延設部を固定し得ることを特徴とする。
【００１３】
請求項５記載の発明は、請求項２記載の補液バッグ用ハンガーにおいて、前記延設部の回動時にその回動方向とは逆向きに付勢力を付与し、当該延設部を初期位置に戻し得る付勢手段を具備したことを特徴とする。
【発明の効果】
【００１４】
請求項１の発明によれば、延設部が、下方又は上方に傾斜しつつ略直線状に延設されるとともに、補液バッグを保持するための吊下げ手段が長手方向に亘って複数形成されているので、補液バッグを吊して保持させる作業性を向上させつつ補液の注入時において各補液バッグの視認性を向上させることができるとともに、小型化を図って設置スペースの自由度を向上させることができる。
【００１５】
請求項２の発明によれば、延設部は、立設部の立設方向を軸として回動自在とされているので、作業者が任意位置まで延設部を回動させ、その状態を維持しつつ各補液バッグを吊して保持させることができ、補液バッグの取付時における作業性をより向上させることができる。
【００１６】
請求項３の発明によれば、延設部を複数の位置で固定させ得る固定手段を具備したので、例えば吊下げ手段に順次補液バッグを保持させている間に延設部が不用意に回動してしまうのを回避でき、補液バッグの取付時における作業性をより向上させることができる。
【００１７】
請求項４の発明によれば、固定手段は、延設部が血液浄化装置に対して前方にある作業位置と後方にある退避位置との２位置で当該延設部を固定し得るので、作業位置で延設部を固定させて補液バッグの取付時の作業性を向上させるとともに、退避位置で延設部を固定させて、当該退避位置での不用意な回動をも回避させることができる。
【００１８】
請求項５の発明によれば、延設部の回動時にその回動方向とは逆向きに付勢力を付与し、当該延設部を初期位置に戻し得る付勢手段を具備したので、吊下げ手段に順次補液バッグを保持させた後、延設部から手を離せば、自然と延設部が初期位置に戻るので、補液バッグの取付時における作業性を更に向上させることができる。
【発明を実施するための最良の形態】
【００１９】
以下、本発明の実施形態について図面を参照しながら具体的に説明する。
本実施形態に係る補液バッグ用ハンガーは、患者に対して補液の注入を可能としつつ血液浄化治療を施すための血液浄化装置に設置され、補液を収容しつつ相互に連通された複数の補液バッグを吊して保持するためのもので、図１に示すように、多用途透析装置２に設置された立設部１ａと、延設部１ｂと、吊下げ手段としての複数のフック４ａ〜４ｅと、支承部５とから主に構成されている。
【００２０】
多用途透析装置２は、血液透析（ＨＤ）、血液透析濾過（ＨＤＦ）、血液濾過（ＨＦ）又は持続緩徐式血液濾過（ＣＨＦ）等の治療を施すことが可能な血液浄化装置から成り、例えば血液ポンプ２ａ、補液ポンプ２ｂ及び液晶モニタ３等から構成されている。尚、本実施形態においては、複数種の治療を行い得る多用途透析装置２に適用しているが、これに代えて、患者に対して補液の注入が可能であり且つ上記何れかの治療又は他の治療（血漿交換や二重濾過血漿交換等）を専ら行う専用の装置としてもよい。
【００２１】
立設部１ａは、多用途透析装置２の所定部位（本実施形態においては背面側の部位）から鉛直方向に立設された長尺状部材から成り、その基端が当該多用途透析装置２に固定されて成る。かかる立設部１ａの上端部には、支承部５が形成されており、この支承部５を介してパイプ状部材から成る延設部１ｂが延設されている。即ち、延設部１ｂは、支承部５にて片持ち支持されているのである。
【００２２】
延設部１ｂは、立設部１ａの上端部（厳密には支承部５を介して）から水平面に対して所定角度αだけ上方に傾斜しつつ略直線状に延設されて成るとともに、その長手方向に亘って複数のフック４ａ〜４ｅが形成されたものである。これらフック４ａ〜４ｅは、図３に示すように、補液バッグＢ１〜Ｂ３を吊して保持するためのものであり、それぞれが延設部１ｂから垂下しつつ上方へ屈曲形成されている。
【００２３】
補液バッグＢ１〜Ｂ３は、それぞれ所定量（例えば１Ｌ又は２Ｌ）の補液を収容した袋状の可撓性透明部材から成り、図３に示すように、フック４ｂ〜４ｄに吊された状態にて隣り合う補液バッグＢ１〜Ｂ３における各々の口部Ｂａが連結管Ｒ１及びＲ２で連結され得るよう構成されている。また、補液バッグＢ１〜Ｂ３のうち最も下方に位置するもの（本実施形態においては補液バッグＢ１）の口部Ｂａからは、多用途透析装置２側（具体的には補液ポンプ２ｂ）に延設された供給管Ｒ３が接続されている。
【００２４】
これにより、補液ポンプ２ｂを駆動すれば、補液バッグＢ１内の補液が多用途透析装置２側に供給されるとともに、補液バッグＢ２及びＢ３内の補液が自重にて順次補液バッグＢ１内に補充されることとなる。尚、フック４ａ〜４ｅに吊す補液バッグの数は任意とされ、例えば４つの補液バッグをフック４ａ〜４ｅのそれぞれに吊すよう構成してもよい。また、供給管Ｒ３が接続される補液バッグが最も下方に位置すれば、例えば３つの補液バッグをフック４ａ〜４ｃ（又は４ｃ〜４ｅ）にそれぞれ吊して保持させてもよい。
【００２５】
一方、支承部５は、図４及び図５に示すように、延設部１ｂの基端に固定された回転部５ａと、立設部１ａの上端側に固定された固定部５ｂとから成り、ベアリング６により回転部５ａが固定部５ｂに対して回転可能とされている。即ち、延設部１ｂは、回転部５ａの固定部５ｂに対する回転により、延設部の立設方向Ｌ１（図１参照）を軸として回動自在とされているのである。
【００２６】
また、固定部５ｂには、スプリング７により上方へ付勢されたロックボール８が配設されるとともに、回転部５ａの下面（固定部５ｂと対向した面）には、当該ロックボール８を嵌合し得る２つの凹部５ａａ、５ａｂが形成されている。具体的には、凹部５ａａは、図２に示すように、延設部１ｂが多用途透析装置２に対して前方にある作業位置Ａ、及び後方にある退避位置Ｂにあるとき、ロックボール８とそれぞれ嵌合し、各位置にて延設部１ｂを一時的に固定（ロック）し得るよう設定されている。
【００２７】
また、作業位置Ａ又は退避位置Ｂにて固定された延設部１ｂに対し、スプリング７による付勢力よりも大きな力を回動方向に付与すれば、凹部５ａａ又は５ａｂからロックボール８が外れ、固定（ロック）が解除されるようになっている。これにより、作業位置Ａで延設部１ｂを固定させれば、補液バッグＢ１〜Ｂ３をフック４ｂ〜４ｄに吊した後、連結管Ｒ１〜Ｒ２及び供給管Ｒ３の接続を容易に行うことができ、取付時の作業性を向上させるとともに、退避位置Ｂで延設部１ｂを固定させれば、当該退避位置Ｂでの不用意な回動をも回避させることができる。この延設部１ｂを一時的に固定させる手段（スプリング７、ロックボール８及び凹部５ａａ、５ａｂ）は、本発明の固定手段を構成する。
【００２８】
然るに、回転部５ａ側の凹部を更に複数個形成し、延設部１ｂが複数位置で一時的に固定（ロック）されるものとしてもよく、或いは任意の１カ所のみ凹部を形成して、延設部１ｂが一位置で固定（ロック）されるよう構成してもよい。尚、本実施形態においては、液晶モニタ３が回動可能とされており、図２及び図３で示すように、延設部１ｂが作業位置Ａにあるとき回動されて、補液バッグＢ１〜Ｂ３の取付作業を容易としている。
【００２９】
上記実施形態によれば、延設部１ｂが、上方に傾斜しつつ略直線状に延設されるとともに、補液バッグＢ１〜Ｂ３を保持するためのフック４ａ〜４ｅが長手方向に亘って複数形成されているので、補液バッグＢ１〜Ｂ３を吊して保持させる作業性を向上させつつ補液の注入時において各補液バッグＢ１〜Ｂ３の視認性を向上させることができる。即ち、従来の如き円環状フレームに複数の補液バッグを吊した場合、作業者側から隠れた後方位置の補液バッグが存在し、一括して視認することができなかったため、後方まで回り込んで視認する必要があったのに対し、本実施形態においては、直線状に補液バッグが吊されるため、一括した視認が容易とされている。
【００３０】
また、本実施形態においては略直線状の延設部１ｂに複数の補液バッグを保持させているので、従来の如き円環状フレームのものに比べ、補液バッグ用ハンガー１の小型化を図って設置スペースの自由度を向上させることができる。尚、本実施形態においては、延設部１ｂが支承部５にて回動自在とされているが、立設部１ａの上端部に固定されつつ延設されて回動不能とされたものであってもよいが、その場合、延設部１ｂが退避位置Ｂとされるものが好ましい。
【００３１】
本実施形態においては、延設部１ｂが立設部１ａの立設方向Ｌを軸として回動自在とされているので、作業者が任意位置まで延設部１ｂを回動させ、その状態を維持しつつ各補液バッグＢ１〜Ｂ３を吊して保持させることができ、補液バッグＢ１〜Ｂ３の取付時における作業性をより向上させることができる。尚、本実施形態においては、作業位置Ａと退避位置Ｂとで延設部１ｂが一時的に固定（ロック）され得るよう構成されているが、当該一時的な固定がなされないものとしてもよい。
【００３２】
以上、本実施形態について説明したが、本発明はこれに限定されるものではなく、例えば図６及び図７に示すように、支承部５にねじりバネ９（付勢手段）を具備させたものとしてもよい。当該ねじりバネ９は、その一端９ａが固定部５ｂに係止されるとともに他端９ｂが回転部５ａに係止されており、延設部１ｂの回動時にその回動方向とは逆向きに付勢力を付与し得るよう構成されたものである。
【００３３】
これにより、フック４ｂ〜４ｄに順次補液バッグＢ１〜Ｂ３を保持させた後、延設部１ｂから手を離せば、自然と延設部１ｂが初期位置（例えば、退避位置Ｂ）に戻るので、補液バッグの取付時における作業性を更に向上させることができる。然るに、延設部１ｂの回動時にその回動方向とは逆向きに付勢力を付与し、当該延設部１ｂを初期位置に戻し得るものであれば、上記ねじりバネ９に代えて、他の付勢手段としてもよい。
【００３４】
然るに、図９及び図１０で示すように、支承部５内にロータリーダンパＧを配設するものとしてもよい。かかるロータリーダンパＧは、粘性を有したオイル等を内在した本体Ｇａが固定部５ｂ側に嵌合等にて固定されるとともに、回転部５ａ側に嵌合にて固定された作動子Ｇｂを具備しており、ねじりバネ９の付勢力にて延設部１ｂが初期位置に戻る際、その戻り方向と逆向きの抵抗力を回転部５ａに付与し得るものである。これにより、延設部１ｂが退避位置に自動的に戻った際、その回転力による衝撃を抑制することができる。尚、ロータリーダンパＧに代えて他の形態の緩衝部材としてもよい。
【００３５】
更に、本実施形態においては、延設部１ｂが立設部１ａの上端部から上方に傾斜しつつ略直線状に延設されているが、例えば図８に示すように、水平面に対して所定角度βだけ下方に傾斜しつつ略直線状に延設されて成る延設部１ｂ’としてもよい。但し、この場合、延設部１ｂ’の先端側に最も下方に位置する補液バッグが吊され、そこから供給管が延びることとなる。尚、かかる傾斜角度β（実施形態における傾斜角度αも同様）は、任意に設計することができる。また更に、補液バッグに収容される補液は、体外に導き出した血液に注入する液体であれば足り、例えば血液製剤などの置換補充液や薬剤であってもよい。
【産業上の利用可能性】
【００３６】
立設部の上端部から下方又は上方に傾斜しつつ略直線状に延設されるとともに、補液バッグを保持するための吊下げ手段が長手方向に亘って複数形成された延設部を具備した補液バッグ用ハンガーであれば、外観形状が異なるもの或いは他の機能が付加されたもの等にも適用することができる。
【図面の簡単な説明】
【００３７】
【図１】本発明の実施形態に係る補液バッグ用ハンガー及び該補液バッグ用ハンガーが設置される血液浄化装置の一部を示す正面図
【図２】同補液バッグ用ハンガーを示す上面図
【図３】同補液バッグ用ハンガーに補液バッグを吊して保持させた状態を示す正面図
【図４】同補液バッグ用ハンガーにおける支承部を示す上面図
【図５】図４におけるＶ−Ｖ線断面図
【図６】本発明の他の実施形態の補液バッグ用ハンガーにおける支承部を示す上面図
【図７】図６におけるＶＩＩ−ＶＩＩ線断面図
【図８】本発明の更に他の実施形態の補液バッグ用ハンガーを示す正面図
【図９】本発明の更に他の実施形態の補液バッグ用ハンガーにおける支承部を示す上面図
【図１０】図９におけるＸ−Ｘ線断面図
【図１１】従来の補液バッグ用ハンガー（補液バッグを吊して保持させた状態）を示す正面図
【図１２】従来の補液バッグ用ハンガーを示す（ａ）正面図（ｂ）正面図
【符号の説明】
【００３８】
１    補液バッグ用ハンガー
１ａ  立設部
１ｂ  延設部
２    血液浄化装置（多用途透析装置）
３    液晶モニタ
４ａ〜４ｅ    フック（吊下げ手段）
５    支承部
５ａａ、５ａｂ  凹部（固定手段）
６    ベアリング
７    スプリング（固定手段）
８  ロックボール（固定手段）
９  ねじりバネ（付勢手段）
【図１】
2008000318.tif 000003
【図２】
2008000318.tif 000004
【図３】
2008000318.tif 000005
【図４】
2008000318.tif 000006
【図５】
2008000318.tif 000007
【図６】
2008000318.tif 000008
【図７】
2008000318.tif 000009
【図８】
2008000318.tif 000010
【図９】
2008000318.tif 000011
【図１０】
2008000318.tif 000012
【図１１】
2008000318.tif 000013
【図１２】
2008000318.tif 000014